(57)【要約】【課題】本発明は、広角撮影を行うときにも、また望遠撮影を行うときにも、鏡胴内等の反射に起因する有害光を減少させて、フレアなどの発生を防止させる。【解決手段】鏡胴を構成している第２直進筒７が引き出されて、変倍光学系４が収納状態から広角撮影状態、望遠撮影状態にされているとき、第２直進筒７に形成されている切り欠き６と、バリア駆動部材１５に設けられたガイドピン１３との相互作用によって、バリア駆動部材１５を回転させて、変倍光学系４の入射面側に配置された２枚のバリア羽根９の位置を調整させ、変倍光学系４への入射開口形状を調整させる。【選択図】　　　図１
2004117401.tif 000002
【特許請求の範囲】
【請求項１】
撮影状態以外に、収納状態をもつカメラにおいて、
可変長型の鏡胴内に収納される変倍光学系と、
この変倍光学系に対する入射光の開口形状を調節するレンズバリア手段と、
前記変倍光学系の倍率に応じて、前記レンズバリア手段を駆動して前記開口形状を調整するバリア駆動部材と、を備えたことを特徴とするカメラ。
【請求項２】
請求項１に記載のカメラにおいて、
前記レンズバリア手段は、前記変倍光学系が望遠撮影状態にされているとき、前記変倍光学系に対する入射光の上下部分をカットすることを特徴とするカメラ。
【請求項３】
請求項１に記載のカメラにおいて、
前記鏡胴は、筒状に形成された第１直進筒、この第１直進筒にスライド自在にはめ込まれる第２直進筒によって構成され、
前記バリア駆動部材は、前記第１直進筒と前記第２直進筒との相対位置に応じて前記レンズバリア手段を駆動して、前記開口形状を調整することを特徴とするカメラ。
【発明の詳細な説明】
【０００１】
【発明の属する技術分野】
本発明は、変倍光学系を持つカメラに係わり、特に広角撮影を行うときにもまた望遠撮影を行うときにも、フレアが発生しないようにしたカメラに関する。
【０００２】
【従来の技術】
カメラに取り付けられる変倍光学系として、従来、図６に示すものが知られている。
この図に示す変倍光学系１００は、６枚のレンズ１０１〜１０６によって構成される６群６枚構成の光学系であり、図７、図８に示す如くレンズ１０１〜１０４からなる第１群レンズ１０７と、レンズ１０５と１０６からなる第２群レンズ１０８との間隔を変化させて倍率を変更させることにより、広角撮影でも望遠撮影でも行えるようになっている。
そして、このような変倍光学系１００では、広角撮影時、望遠時に、光軸に入射する光線束（中心光束）、３５ｍｍフィルムに対応するアパーチャサイズが２４×３６のとき、短辺（＝２４）に入射する光線束（短辺光束）、アパーチャサイズが２４×３６のとき、長辺（＝３６）に入射する光線束（長辺光束）、アパーチャサイズが２４×３６のとき、対角に入射する光線束（対角光束）など、撮影に必要な光束（以下、これらを必要光束と呼ぶ）の内側に、各レンズ１０１〜１０６を支持する部材、変倍させるための部材などが入らないように、これら各部材を配置しなければならない。
【０００３】
【発明が解決しようとする課題】
ところで、近年、各レンズ１０１〜１０６などを支持している鏡胴などを小型化させて、カメラ全体を小型化させることが多く、鏡胴の先端部分にフードなどを取り付けることが難しい。
このため、変倍光学系１００を望遠にさせて、太陽光などのような強烈な光源側にある被写体を撮影しているとき、強烈な光がファインダ内に入らないようにしているときでも、太陽光がレンズ端面、鏡胴内壁などに反射して、その反射光がフィルムに到達し、フレアが発生してしまうという問題があった。
そこで、このような変倍光学系１００では、図９に示す如く鏡胴１０９内部のうち、対角光束の外側となる各部分（フレア発生源部分１１０）に凹凸を付けさせるとともに、無反射塗料を塗布させて反射率を低減させることにより反射光を拡散させたり、望遠撮影時における短辺光束の外側に有害光カットシート１１１を配置させて有害光束をカットさせたりさせてフレアの発生を防止させている。しかしながら、このような変倍光学系１００を使用するときには、図１０に示す如く広角撮影を行うときにも、第１群レンズ１０８と、有害光カットシート１１１とがぶつからないように、有害光カットシート１１１を配置させなければならないことから、変倍光学系１００の移動行程が大きいとき、端部１１２に有害光カットシート１１１を配置させることができないのみならず、端部１１３に取り付けた有害光カットシート１１１によって、短辺光束などがカットされないよう、有害光カットシート１１１を小さくしなければならない。
このため、このような変倍光学系１００では、有害光カットシート１１１を使用してフレアを防止させるようにしても、望遠撮影を行うとき、対角方向からの有害光をカットさせることが難しく、フレアを防止させることができないというという問題があった。
本発明は上記の事情に鑑み、請求項１では、倍率などが変更されたとき、倍率などに対応させて、入射開口形状を変更させ、広角撮影を行うときにも、また望遠撮影を行うときにも、鏡胴内等の反射に起因する有害光を減少させて、フレアなどの発生を防止させることができるカメラを提供することを目的としている。また、請求項２では、倍率などが変更されて、望遠撮影状態にされたとき、入射開口の上部側と、下部側とをカットさせて、鏡胴内等の反射に起因する有害光を減少させ、フレアなどの発生を防止させることができるカメラを提供することを目的としている。
また、請求項３では、第１直進筒と第２直進筒との位置関係が調整されて、変倍光学系の倍率などが変更されたとき、倍率などに対応させて、入射開口形状を機械的に変更させ、広角撮影を行うときにも、また望遠撮影を行うときにも、鏡胴内等の反射に起因する有害光を減少させて、フレアなどの発生を防止させることができるカメラを提供することを目的としている。
【０００４】
【課題を解決するための手段】
上記の目的を達成するために本発明は、請求項１では、撮影状態以外に、収納状態をもつカメラにおいて、可変長型の鏡胴内に収納される変倍光学系と、この変倍光学系に対する入射光の開口形状を調節するレンズバリア手段と、前記変倍光学系の倍率に応じて、前記レンズバリア手段を駆動して、前記開口形状を調整するバリア駆動部材とを備えたことを特徴としている。
また、請求項２では、請求項１に記載のカメラにおいて、前記レンズバリア手段は、前記変倍光学系が望遠撮影状態にされているとき、前記変倍光学系に対する入射光の上下部分をカットすることを特徴としている。
また、請求項３では、請求項１に記載のカメラにおいて、前記鏡胴は、筒状に形成された第１直進筒、この第１直進筒にスライド自在にはめ込まれる第２直進筒によって構成され、前記バリア駆動部材は、前記第１直進筒と前記第２直進筒との相対位置に応じて、前記レンズバリア手段を駆動して、前記開口形状を調整することを特徴としている。
【０００５】
【発明の実施の形態】
以下、本発明を図面に示した実施の形態により詳細に説明する。
図１は本発明によるカメラの一形態で使用される変倍光学系、鏡胴部分の詳細な構成例を示す要部断面図ある。
この図に示すカメラ（鏡胴）１は、広角撮影時に必要な光束を透過させるバリア蓋開口部２が形成されたバリア蓋３を持つ筒部材によって構成される第１直進筒４と、変倍光学系２０を構成する第１群レンズ、被写体からの光束を透過させるシャッタ機構などを含み、第１直進筒４内に固定される第１群レンズ・シャッタ部５と、側面部分に所定形状の切り欠き６が形成された筒部材によって構成され、第１直進筒４側に形成された直進案内部などによって回転規制を受けながら光軸方向に動かされたとき変倍光学系２０を収納状態から広角撮影状態、または望遠撮影状態にさせる第２直進筒７と、図２に示す如くほぼ勾玉形に形成されバリア蓋開口部２を閉じるように配置される２枚のバリア羽根９と、第１直進筒４に垂設され各バリア羽根９の元端側を回転自在に支持する２つの支軸８と、第１直進筒４側の各係止部１０と各バリア羽根９に形成された各付勢ピン１１との間に各々張設され各支軸８を中心に各バリア羽根９をＣＣＷ方向（反時計回り方向）に付勢させてバリア蓋開口部２を開閉自在に閉じさせる２つの弾性体１２とを備えている。
さらに、カメラ１は、第１直進筒４、第２直進筒７に対し、回転可能にされた状態で第１直進筒４と第１群レンズ・シャッタ部５との間に配置され、第２直進筒７が光軸方向に動かされて収納状態から広角撮影状態、または望遠撮影状態にされるとき第２直進筒７に形成された切り欠き６にスライド自在に係合しているガイドピン１３により切り欠き６の形状などに応じた回転量だけ回転付勢され、光入射面側に垂設された各駆動軸１４によって各支軸８を中心に各バリア羽根９をＣＷ方向（時計回り方向）に付勢し、バリア蓋開口部２を開かせるバリア駆動部材１５と、図２に示す如くバリア駆動部材１５に設けられたピン１６、第１直進筒４に設けられたピン１７、これらピン１６、１７間に張設されるバネ、ゴムなどの弾性体１８などによって構成され、第１直進筒４に対し、バリア駆動部材１５をＣＣＷ方向（反時計回り方向）に付勢しながら、バリア駆動部材１５の回転量を規制して、広角撮影時にバリア駆動部材１５が所定回転量以上、回転しないようにする付勢・ストッパ機構１９とを備えている。
そして、図３（ａ）に示す如く変倍光学系２０が収納状態にされているとき、付勢・ストッパ機構１９によってバリア駆動部材１５をＣＣＷ方向に付勢させて、ガイドピン１３を切り欠き６内の初期位置に保持させ、図４（ａ）に示す如く各弾性体１２による付勢力で各バリア羽根９をＣＣＷ方向に付勢させバリア蓋開口部２を閉じさせる。
【０００６】
この後、第２直進筒７が光軸方向に動かされて広角撮影状態にされるとき、図３（ｂ）に示す如く切り欠き６の内周面に沿ってガイドピン１３を移動させ、付勢・ストッパ機構１９の付勢力によってバリア駆動部材１５をＣＣＷ方向に回転させ、このバリア駆動部材１５に設けられた各駆動軸１４によって、各バリア羽根９をＣＷ方向（時計回り方向）に付勢させ、バリア蓋開口部２を開かせる。
次いで、第２直進筒７が光軸方向に動かされて、望遠撮影状態にされているとき、図３（ｃ）に示す如く切り欠き６の内周面に沿って、ガイドピン１３を押し戻させて、バリア駆動部材１５をＣＷ方向に少しだけ回転させる。
これにより、このバリア駆動部材１５に設けられた各駆動軸１４がＣＷ方向に少しだけ戻され、各弾性体１２によって、各バリア羽根９がＣＷ方向に少しだけ回転させられ、図４（ｃ）に示す如く各バリア羽根９によって、バリア蓋開口部２の上部側、下部側が閉じられ、図５に示す如く望遠撮影時の有害光がカットされ、フレアの発生が防止させられる。
【０００７】
【発明の効果】
以上説明したように本発明によれば、請求項１のカメラでは、倍率などが変更されたとき、倍率などに対応させて、入射開口形状を変更させ、広角撮影を行うときにも、また望遠撮影を行うときにも、鏡胴内等の反射に起因する有害光を減少させて、フレアなどの発生を防止させることができる。
また、請求項２のカメラでは、倍率などが変更されて、望遠撮影状態にされたとき、入射開口の上部側と、下部側とをカットさせて、鏡胴内等の反射に起因する有害光を減少させ、フレアなどの発生を防止させることができる。
また、請求項３のカメラでは、第１直進筒と第２直進筒との位置関係が調整されて、変倍光学系の倍率などが変更されたとき、倍率などに対応させて、入射開口形状を機械的に変更させ、広角撮影を行うときにも、また望遠撮影を行うときにも、鏡胴内等の反射に起因する有害光を減少させて、フレアなどの発生を防止させることができる。
【図面の簡単な説明】
【図１】本発明によるカメラの一形態で使用される変倍光学系、鏡胴部分の詳細な構成例を示す要部断面図ある。
【図２】図１に示すバリア羽根部分の詳細な構成例を示す裏面図である。
【図３】図１に示す変倍光学系、鏡胴部分の収納状態、広角撮影状態、望遠撮影状態例を示す模式図である。
【図４】図１に示すバリア羽根部分の収納状態、広角撮影状態、望遠撮影状態例を示す模式図である。
【図５】図１に示すカメラの効果を示す模式図である。
【図６】一般的に変倍光学系の一例を示す概略構成図である。
【図７】図６に示す変倍光学系の各光束例を示す模式図である。
【図８】図６に示す変倍光学系の各光束例を示す模式図である。
【図９】図６に示す変倍光学係を使用したカメラで、望遠撮影を行うときの光束例を示す要部断面図である。
【図１０】図６に示す変倍光学係を使用したカメラで、広角撮影を行うときの光束例を示す要部断面図である。
【符号の説明】
１：カメラ、２：バリア蓋開口部、３：バリア蓋、４：第１直進筒、５：第１群レンズ・シャッタ部、６：切り欠き、７：第２直進筒、８：支軸、９：バリア羽根（レンズバリア手段）、１０：係止部、１１：付勢ピン、１２：弾性体、１３：ガイドピン、１４：駆動軸、１５：バリア駆動部材、１６：ピン、１７：ピン、１８：弾性体、１９：付勢・ストッパ機構、２０：変倍光学系
【図１】
2004117401.tif 000003
【図２】
2004117401.tif 000004
【図３】
2004117401.tif 000005
【図４】
2004117401.tif 000006
【図５】
2004117401.tif 000007
【図６】
2004117401.tif 000008
【図７】
2004117401.tif 000009
【図８】
2004117401.tif 000010
【図９】
2004117401.tif 000011
【図１０】
2004117401.tif 000012